(57)【要約】【課題】市街地に溢れんばかりの広告塔や林立する電柱等には違法なチラシ等が貼られ景観を損ねている。これらの空間において都市緑化の一端を担うことにより、景観向上や温暖化の原因でもある二酸化炭素の削減など都市環境の改善に貢献する工法が必要である。【解決手段】電柱等の柱状体に植栽マット体を二重に巻装固定し、該植栽マット体の間に植栽室を設け低木や草花を植栽し、各マット体表面にはセダムを植栽するとともに上部に椀状の集水型雨水受け器を設けて点滴灌水できることを特徴とし、景観を損ねるチラシ等の貼り付けを防止し、無数にある電柱等に樹木と草花を交えた緑化をすることにより景観的に優れた市街地に生まれ変わらせ、二酸化炭素の削減にも貢献できる植栽工法。【選択図】図７
2007082500.tif 000002
【特許請求の範囲】
【請求項１】
柱状体の植栽域となる範囲に植生基盤となる植栽マット体を巻装し、さらにその上に帯状植栽マット体を巻装固定し、該植栽マット体と該帯状植栽マット体の間に保水材と遅効性肥料を充填した有孔管複数本を挿入し、左右の有孔管と前後のマット体に囲まれた複数の空間部を植栽室とし、低木や草花を植栽し、各植栽マット体表面にはセダムを植栽したことを特徴とする柱状体への植栽工法。
【請求項２】
上記請求項１の柱状体植栽域上部の植栽域外に椀状の集水型雨水受け器を設け、点滴灌水を行うことを特徴とする柱状体への植栽工法。
【発明の詳細な説明】
【技術分野】
【０００１】
本発明は、電柱等の柱状体に植栽マット体を巻装固定し、低木や草花を植栽する柱状体への植栽工法に関する技術である。
【背景技術】
【０００２】
近年、都会におけるヒートアイランド現象が社会問題になるにつれて、屋上緑化やベランダ緑化、屋根緑化などの必要性が高まり、この要請に応える緑化装置や緑化器具の開発が盛んに行われ屋上緑化としてミニ庭園や花壇を造ったり、ベランダに植木鉢を置き草花を栽培することが流行している反面、道路沿いに林立している電柱や広告塔等の柱状体の垂直面については、緑を見ることはほとんどなく、むしろ宣伝チラシ等が貼られ、景観を著しく損ねるものである。
【０００３】
そこで、特開２００３−２７４７５１号に提示されているように電柱等の柱状体に植生マットを巻装し、上部に保水マットを配置し、灌水ラインを設け緑化を図るか、ポケットプランターに係止を介して緑化を図る工法が知られる。ところが特開２００３−２７４７５１号に提示される工法は、植生マットにセダム等の草本植物にて緑化を図るものであり
、木本類にて緑化を図る植栽工法ではなく、また植生マットに電柱等からの吸水防止策がなく水分が電柱等に吸引されるため水管理が大変であり、肥料等により該植生マットは腐植しやすく、短期間での交換を要する問題点を有し、加えて養生畑にて栽培した植生マットを電柱等に取り付けるのは、重量的に困難であり、通常は乾燥した植生マットを巻装し植栽するのが望ましいと考えられ、更に柱状体に係止を設けポケットプランターを係止させて緑化を図る場合も水管理等の問題がある。
【特許文献１】特開２００３−２７４７５１号公報
【発明の開示】
【発明が解決しようとする課題】
【０００４】
このような現実を踏まえ、林立する電柱等の柱状体に雨水受け器と灌水設備を配置し、手の届く範囲に植栽域を設け、吸水防止シートを付帯した腐蝕しにくい植生マットに低木や草花を植栽し、緑化による景観の向上を図るとともに、問題となっている地球温暖化の原因の一つである二酸化炭素の削減にも貢献できるＴＫ柱状面植栽工法を提供しようとするものである。
【課題を解決するための手段】
【０００５】
保水力・保肥力に優れた軽量基盤土を封入し、腐蝕しにくい材料で縫製成形した植栽マット体を柱状体に巻装固定した上に、同じく腐蝕しにくい帯状植栽マット体を重ねて巻装固定し、植栽マット体と帯状植栽マット体の間に保水材と遅効性肥料を充填した有孔管複数本を挿入し、左右の有孔管と前後のマット体に囲まれた複数の空間部を植栽室とし、低木や草花を植栽し、各マット体表面にはセダムを植栽し、当該マット体上部の植栽区域外に椀状の集水型雨水受け給水設備を設け、点滴チューブを通し自然灌水できるＴＫ柱状面植栽工法。
【０００６】
基本となる植栽マット体を形成する材質は、いずれも腐蝕しにくい材質を使用するが、まず一枚目のマット体シートは、防水シートを保護するポリエチレン製のネット状シート、その上に電柱等のコンクリート面からの植栽マット内の水分吸引を防止するための塩化ビニール製の防水シート、さらにその上にポリエステル製の不織布を重ね底部とし、底部上に保水力・保肥力が強い基盤土（ココピート、ピートモス、木炭、水苔、バーク堆肥、有機肥料、遅効性肥料、化成肥料の混合土）を２ｃｍ厚で敷き詰め、その上に水や植物の根を通すポリエステル製の不織布と吸水紙シート、同じく植物の根を通す網目のポリエチレン製のネット状シートを順次重ねて上部を形成し、基盤土の移動防止のため底部と上部が一体化するように縦横所定間隔に縫製成形した基礎マット体を植物の根を通す網目のポリエチレン製で補強ロープを付帯したネット状袋体に収納すると共に任意間隔で点付熱粘着と収納口を逢着したことを特徴とする植栽マット体を柱状体に巻装し、補強ロープにて仮止し、該植栽マット体上部の仮止した補強ロープごと帯状固定金具にて締め付け固定し、該植栽マット体の重ね合わせ部を逢着成形する。
【０００７】
次に二枚目の帯状植栽マット体も腐蝕しにくい材質を使用するが、仕上げ縦幅は約２５ｃｍとし、植物の根を通す網目のポリエチレン製のネット状シート、水や植物の根を通すポリエステル製の不織布の順に重ね底部とし、底部の上に一枚目と同じ基盤土（ココピート、ピートモス、木炭、水苔、バーク堆肥、有機肥料、遅効性肥料、化成肥料の混合土）を２ｃｍ厚で敷き詰め、基盤土の上には水を通すポリエステル製の不織布と吸水紙シート
、ポリエチレン製のネット状シートの順に重ねて上部を形成し、基盤土の移動防止のため底部と上部が一体化するように縦横所定間隔に縫製成形した帯状基礎マット体を基盤土が流出しない網目のポリエチレン製の補強ロープを付帯したネット状袋体に収納すると共に任意間隔で点付熱粘着と収納口を逢着したことを特徴とする帯状植栽マット体を裏面が表になるように植栽マット上の植栽位置に帯状に巻装し、補強ロープで仮止し帯状固定金具にて締め付け固定し、当該帯状植栽マット体の表側が表面に出るように捲り上げて胴巻状の形に成形し、その両端部を逢着する。
【０００８】
植栽マット体及び帯状植栽マット体の間に複数の有孔管を挿入し、左右の有孔管と前後のマット体に囲まれた空間部を植栽室とし、基盤土を充填しながら根巻きした低木等を植栽し、強風で飛散しないように植栽口を閉じバンドで根巻きの約半分の大きさに縮め、次に該植栽マット体と該帯状植栽マット体の表面にはセダムをランダムに挿し付け植栽する。
【０００９】
なお、これ以外にも型枠に植栽室を設けた植栽マット体を固定し、柱状体にボルトで固定設置するか、もしくは係止口を有する帯状バンドを柱状体に固定し、植栽室と係止を設けた植栽マット体を係止固定し植栽してもよい。
【００１０】
最後に植栽域の上部柱状体に椀状の集水型雨水受け器を設け、基盤の植栽マット体間に複数の点滴チューブを配置し、該植栽マット内に点滴給水を行う。
【発明の効果】
【００１１】
電柱等の柱状面に植栽マット体と帯状植栽マット体を二重に巻装固定し、簡単に低木や草花による緑化を可能にすると共に、景観を損なう違法なチラシ等の貼り付けを防止し、環境美化に貢献できる植栽工法である。また使用する植栽マット体は、縦横所定間隔に縫製成形し、更にその上にマット体保護としてネット状袋体を形成しているので基盤土の流出がなく、また腐蝕しにくい材質であるため、長年使用可能な植栽マット体である。
【００１２】
なお、植栽マット体の基盤土は、保水力が一般用土より非常に強く、特に植栽室は２重の植栽マット体及び保水材を充填した有孔管にて形成され、植栽室には植栽マット体と同じ基盤土を使用するため、非常に水持ちがよいこと、マット体表面の吸水紙シートは雨水等の水分を効率よく吸水し、基盤土に給水すること、植栽されたセダムが蒸散水を抑制すること、椀状の集水型雨水受け器から点滴給水されること、また植栽マット体の裏面に内装された防水シートが柱状体の水分吸引を遮断すること等の理由から水管理の係らない柱状体への植栽工法である。
【００１３】
更に、時間経過とともに植栽木は生育し、その根が植栽マット体内に張り巡らされるようになるため、該植栽マット体と一体となり、強風でも飛散倒木することがないし、追肥をする場合でも有孔管内に投入した肥料混合の保水材を入れ替えるだけですむ。
【発明を実施するための最良の形態】
【００１４】
以下、本発明を図に基づき説明すると、図１は、図２に示す構造断面を持つ基礎マット体１と帯状基礎マット体２の斜視図であり、植栽マット体にする前の状態である。
【００１５】
図２は、ネット状シート３・防水シート４・不織布５の順に重ね底部を形成し、その上に基盤土６（ココピート、ピートモス、水苔、木炭、バーク堆肥、有機肥料、遅効性肥料
、化成肥料の混合土）を２ｃｍ厚に敷き詰め、不織布５・保水紙シート７・ネット状シート３の順に重ね上部を形成し、底部と上部が一体化するように縦横所定間隔に縫製した説明図である。なお、帯状基礎マット体２は、上記の工程における防水シート４を省いたものである。
【００１６】
図３は、基礎マット体及び帯状基礎マット体を収納し、植栽マット体とするネット状袋体８を示しているが補強ロープ９の数は、基礎マット体用は３本帯状基礎マット体の場合は、１本のみである。
【００１７】
図４は、柱状体１０の植栽域に合った場所に植栽マット体１１を巻装し、該植栽マット体１１の両端と中央に付帯している３本の補強ロープ９にてずり落ちないように仮止し、帯状固定金具１３にて仮止した補強ロープ９の上にリング状に回し締め付け固定し、該植栽マット体１１の合わせ目を逢着形成した状況を示すものである。
【００１８】
図５は、帯状植栽マット体１２の取付方法で、柱状体１０に巻装固定した植栽マット体１１に帯状植栽マット体１２を裏返しの状態で重ね、付帯している補強ロープ９でずり落ちないように仮止後、仮止した補強ロープ９の上に帯状固定金具１３をリング状に締め付け固定し、該帯状植栽マット体１２の表面が出るようにまくり上げ、合わせ目を逢着し、胴巻状１４に形成した状況を示すものである。
【００１９】
図６は、柱状体１０に巻装固定した植栽マット体１１上に胴巻状１４に形成した帯状植栽マット体１２の間に保水材と遅効性肥料１５を充填した有孔管１６複数本を挿入し、複数の植栽室１７を形成した状況を示すものである。
【００２０】
図７は、柱状体１０に植栽マット体１１と帯状植栽マット体１２を巻装固定し、植栽室１７を設け、低木１８等を植栽し、各植栽マット体表面にはセダム１９を植栽し、植栽マット体１１の上部の柱状体１０に椀状の集水型雨水受け器２０を設置し、該集水型雨水受け器２０から該植栽マット体１１に複数の点滴チューブ２１を配置し、点滴灌水ができる状態を示した完成図である。
【図面の簡単な説明】
【００２１】
【図１】基礎マット体と帯状基礎マット体を示す斜視図である。
【図２】基礎マット体の構造断面を示す説明図である。
【図３】基礎マット体を収納するネット状袋体を示す斜視図である。
【図４】柱状体に植栽マット体を巻装し、補強ロープで仮止後、帯状固定金具にてリング状に固定し、合わせ目を逢着成形した状態を示す説明図である。
【図５】植栽マット体の上に帯状植栽マットを裏返しに巻装し、帯状固定金具にて              固定し、表が出るようにまくり上げ胴巻状に形成した状態を示す説明図である。
【図６】植栽マットの上に胴巻状に形成した帯状植栽マットの間に保水材と遅効性肥料を充填した有孔管を挿入し植栽室としたことを示す断面図である。
【図７】植栽マット体に低木等やセダムを植栽し、上部に椀状の集水型雨水受け器を設け、複数の点滴チュウブにて給水できる状態を示す完成図である。
【符号の説明】
【００２２】
１  基礎マット体
２  帯状基礎マット体
３  ネット状シート
４  防水シート
５  不織布
６  基盤土
７  保水紙シート
８  ネット状袋体
９  補強ロープ
１０  柱状体
１１  植栽マット体
１２  帯状植栽マット体
１３  帯状固定金具
１４  胴巻状
１５  保水材と遅効性肥料
１６  有孔管パイプ
１７  植栽室
１８  低木
１９  セダム
２０  椀状の集水型雨水受け器
２１  点滴チューブ
【図１】
2007082500.tif 000003
【図２】
2007082500.tif 000004
【図３】
2007082500.tif 000005
【図４】
2007082500.tif 000006
【図５】
2007082500.tif 000007
【図６】
2007082500.tif 000008
【図７】
2007082500.tif 000009